(57)【要約】【課題】弾球遊技機の貯留皿にある導入口付近の防犯性能を高めることにより、異物挿入による遊技球の払出装置に対しての不正行為を低減し、不正な遊技球の払い出しを防ぐことができる弾球遊技機を提供する。【解決手段】払出装置から流下樋を流下した遊技球を貯留皿４０に導く導入口７２と、導入口と連通すると共に貯留皿の裏面側から導入口に向けて遊技球が流下する連通樋７９と、その前面側を覆うと共に導入口から流下する遊技球を直接前記貯留部４１に流下させないで迂回して流下させる迂回部材８０を設け、迂回部材は導入口に向かって流下する遊技球の流下方向を異なる方向に変更して遊技球を誘導する誘導部８１と、遊技球を排出する球排出口８２を備え、球排出口は導入口から貯留部中心Ｃ側に向けて斜め前方位置にあり、かつ球排出口と導入口をつなぐ延長直線Ｌ上に連通樋の後端面を位置させない構成とする。【選択図】図９
2010246795.tif 000002
【特許請求の範囲】
【請求項１】
遊技盤に設けられた複数の入賞口と、前記入賞口への入賞に基づいて遊技球を払い出す払出装置と、前記払出装置より払い出された遊技球を前記払出装置の下方側で貯留可能とする貯留皿と、前記払出装置から払い出された遊技球を前記貯留皿へ流下させる流下樋とを備えた遊技機において、
前記貯留皿は、遊技球を貯留するための貯留部と、前記流下樋を流下した遊技球を前記貯留皿内に導くための導入口と、前記導入口の前面側を覆うと共に前記導入口から流下する遊技球を直接前記貯留部に流下させないで迂回して前記貯留部に流下させる迂回部材を設け、
前記流下樋は、前記導入口と連通すると共に前記貯留皿の裏面側から前記導入口に向けて遊技球が流下する連通樋を有し、
前記迂回部材は、前記連通樋から前記導入口に向かって流下する遊技球の流下方向を異なる方向に変更して遊技球を誘導する誘導部と、前記誘導部を流下した遊技球を前記貯留部に排出する球排出口を備えており、
前記球排出口は前記導入口から前記貯留部中心側に向けて斜め前方位置にあり、かつ前記球排出口と前記導入口をつなぐ延長直線上に前記連通樋の後端面が位置しないように構成した
ことを特徴とする弾球遊技機。
【請求項２】
前記誘導部は前記迂回部材の内壁部と前記貯留部後方の外壁部によって構成され、前記誘導部は前記連通樋から前記導入口へ向かった遊技球の流下方向を直角に変更すると共に前記誘導部の前記球排出口から排出された遊技球を前記貯留部後方の外壁部側に沿って流下させる構成としたことを特徴とする請求項１に記載の弾球遊技機。
【請求項３】
前記誘導部は、少なくとも遊技球２個以上を通過可能とする誘導幅に形成されていることを特徴とする請求項１又は２に記載の弾球遊技機。
【請求項４】
前記導入口は前記貯留皿の左右方向に対して前記貯留部の一端側に設けられ、前記球排出口は前記貯留部の他端側に設けられていることを特徴とする請求項１ないし３のいずれか１項に記載の弾球遊技機。
【請求項５】
前記誘導部の少なくとも一部が透明部材によって構成されていることを特徴とする請求項１ないし４のいずれか１項に記載の弾球遊技機。
【請求項６】
前記迂回部材の内壁部に整流凸状部が備えられていることを特徴とする請求項１ないし５のいずれか１項に記載の弾球遊技機。
【請求項７】
前記貯留部後方の外壁部に整流凹状部が形成されていることを特徴とする請求項１ないし６のいずれか１項に記載の弾球遊技機。
【発明の詳細な説明】
【技術分野】
【０００１】
本発明は、弾球遊技機に関し、特に遊技球を保持する貯留皿の遊技球が払い出される出口からの異物挿入に対する不正行為を軽減する弾球遊技機に関する。
【背景技術】
【０００２】
パチンコ遊技機等の弾球遊技機においては、遊技盤に設けられている各種の入賞口への遊技球の入賞あるいは球貸し操作により払出装置から遊技球が払い出される。このような遊技球は、遊技盤裏面側の流下樋を経由して遊技機前面側の貯留皿に流出可能となっている（特許文献１等参照）。
【０００３】
しかしながら、流下樋から貯留皿に遊技球が流れ込む導入口は遊技機の正面からみると露出していることが多い。そのため、容易に針金等の異物を導入口に挿入することができ、しかも、異物が簡単に流下樋まで届くおそれが指摘されていた。払出装置から貯留皿までは流下樋を介してつながっていることから、針金等の異物を導入口から払出装置まで挿入して払出装置を誤動作させられる可能性があった。そして、払出装置を誤動作させることで通常の遊技では払い出されない遊技球を意図的に払い出させる等の不正が行われるおそれがあった。
【０００４】
そこで、貯留皿の導入口付近の防犯性能をより高め、払出装置への不正行為を低減することができる弾球遊技機が望まれるに至った。
【先行技術文献】
【特許文献】
【０００５】
【特許文献１】特開平１１−１７９０１４号公報
【発明の概要】
【発明が解決しようとする課題】
【０００６】
本発明は、上記状況に鑑み提案されたものであり、弾球遊技機の貯留皿にある導入口付近の防犯性能を高めることにより、異物挿入による遊技球の払出装置に対しての不正行為を低減し、不正な遊技球の払い出しを防ぐことができる弾球遊技機を提供する。
【課題を解決するための手段】
【０００７】
すなわち、請求項１の発明は、遊技盤に設けられた複数の入賞口と、前記入賞口への入賞に基づいて遊技球を払い出す払出装置と、前記払出装置より払い出された遊技球を前記払出装置の下方側で貯留可能とする貯留皿と、前記払出装置から払い出された遊技球を前記貯留皿へ流下させる流下樋とを備えた遊技機において、前記貯留皿は、遊技球を貯留するための貯留部と、前記流下樋を流下した遊技球を前記貯留皿内に導くための導入口と、前記導入口の前面側を覆うと共に前記導入口から流下する遊技球を直接前記貯留部に流下させないで迂回して前記貯留部に流下させる迂回部材を設け、前記流下樋は、前記導入口と連通すると共に前記貯留皿の裏面側から前記導入口に向けて遊技球が流下する連通樋を有し、前記迂回部材は、前記連通樋から前記導入口に向かって流下する遊技球の流下方向を異なる方向に変更して遊技球を誘導する誘導部と、前記誘導部を流下した遊技球を前記貯留部に排出する球排出口を備えており、前記球排出口は前記導入口から前記貯留部中心側に向けて斜め前方位置にあり、かつ前記球排出口と前記導入口をつなぐ延長直線上に前記連通樋の後端面が位置しないように構成したことを特徴とする弾球遊技機に係る。
【０００８】
請求項２の発明は、前記誘導部は前記迂回部材の内壁部と前記貯留部後方の外壁部によって構成され、前記誘導部は前記連通樋から前記導入口へ向かった遊技球の流下方向を直角に変更すると共に前記誘導部の前記球排出口から排出された遊技球を前記貯留部後方の外壁部側に沿って流下させる構成としたことを特徴とする請求項１に記載の弾球遊技機に係る。
【０００９】
請求項３の発明は、前記誘導部は、少なくとも遊技球２個以上を通過可能とする誘導幅に形成されていることを特徴とする請求項１又は２に記載の弾球遊技機に係る。
【００１０】
請求項４の発明は、前記導入口は前記貯留皿の左右方向に対して前記貯留部の一端側に設けられ、前記球排出口は前記貯留部の他端側に設けられていることを特徴とする請求項１ないし３のいずれか１項に記載の弾球遊技機に係る。
【００１１】
請求項５の発明は、前記誘導部の少なくとも一部が透明部材によって構成されていることを特徴とする請求項１ないし４のいずれか１項に記載の弾球遊技機に係る。
【００１２】
請求項６の発明は、前記迂回部材の内壁部に整流凸状部が備えられていることを特徴とする請求項１ないし５のいずれか１項に記載の弾球遊技機に係る。
【００１３】
請求項７の発明は、前記貯留部後方の外壁部に整流凹状部が形成されていることを特徴とする請求項１ないし６のいずれか１項に記載の弾球遊技機に係る。
【発明の効果】
【００１４】
請求項１の発明に係る弾球遊技機によると、遊技盤に設けられた複数の入賞口と、前記入賞口への入賞に基づいて遊技球を払い出す払出装置と、前記払出装置より払い出された遊技球を前記払出装置の下方側で貯留可能とする貯留皿と、前記払出装置から払い出された遊技球を前記貯留皿へ流下させる流下樋とを備えた遊技機において、前記貯留皿は、遊技球を貯留するための貯留部と、前記流下樋を流下した遊技球を前記貯留皿内に導くための導入口と、前記導入口の前面側を覆うと共に前記導入口から流下する遊技球を直接前記貯留部に流下させないで迂回して前記貯留部に流下させる迂回部材を設け、前記流下樋は、前記導入口と連通すると共に前記貯留皿の裏面側から前記導入口に向けて遊技球が流下する連通樋を有し、前記迂回部材は、前記連通樋から前記導入口に向かって流下する遊技球の流下方向を異なる方向に変更して遊技球を誘導する誘導部と、前記誘導部を流下した遊技球を前記貯留部に排出する球排出口を備えており、前記球排出口は前記導入口から前記貯留部中心側に向けて斜め前方位置にあり、かつ前記球排出口と前記導入口をつなぐ延長直線上に前記連通樋の後端面が位置しないように構成したため、弾球遊技機の貯留皿にある導入口付近の防犯性能は高まり、遊技球の払出装置に対しての異物挿入による不正行為を低減でき、不正な遊技球の払い出しを防ぐことが可能となる。
【００１５】
請求項２の発明に係る弾球遊技機によると、請求項１の発明において、前記誘導部は前記迂回部材の内壁部と前記貯留部後方の外壁部によって構成され、前記誘導部は前記連通樋から前記導入口へ向かった遊技球の流下方向を直角に変更すると共に前記誘導部の前記球排出口から排出された遊技球を前記貯留部後方の外壁部側に沿って流下させる構成としたため、流下してきた遊技球を貯留部の全体に広がるように貯留することが可能となる。
【００１６】
請求項３の発明に係る弾球遊技機によると、請求項１又は２の発明において、前記誘導部は、少なくとも遊技球２個以上を通過可能とする誘導幅に形成されているため、誘導部内での球詰まりを抑制することが可能となる。
【００１７】
請求項４の発明に係る弾球遊技機によると、請求項１ないし３のいずれかの発明において、前記導入口は前記貯留皿の左右方向に対して前記貯留部の一端側に設けられ、前記球排出口は前記貯留部の他端側に設けられているため、誘導部の長さが加わり、異物挿入に対する防御効果を生じさせることが可能となる。
【００１８】
請求項５の発明に係る弾球遊技機によると、請求項１ないし４のいずれかの発明において、前記誘導部の少なくとも一部が透明部材によって構成されているため、誘導部の球詰まりの異常等を外部から早期に発見することが可能となる。
【００１９】
請求項６の発明に係る弾球遊技機によると、請求項１ないし５のいずれかの発明において、前記迂回部材の内壁部に整流凸状部が備えられているため、導入口から排出される遊技球を誘導部の向きに円滑に流下方向を転換することができる。
【００２０】
請求項７の発明に係る弾球遊技機によると、請求項１ないし６のいずれかの発明において、前記貯留部後方の外壁部に整流凹状部が形成されているため、誘導部を流下している遊技球を貯留部中心側の向きに円滑に方向転換することができる。
【図面の簡単な説明】
【００２１】
【図１】本発明の一実施例に係る弾球遊技機の正面図である。
【図２】同遊技機の機構枠体の全体斜視図である。
【図３】遊技球供給部の側面図である。
【図４】流下樋部分の斜視図である。
【図５】払出装置下と流下樋部分の斜視図である。
【図６】下側貯留皿の全体斜視図である。
【図７】下側貯留皿の分解斜視図である。
【図８】下側貯留皿の背面側からの全体斜視図である。
【図９】図１のＡ−Ａ線における断面図である。
【図１０】図９の主要部拡大図である。
【発明を実施するための形態】
【００２２】
図１に示す弾球遊技機１は、この発明の実施例に係るパチンコ遊技機である。弾球遊技機１の機枠２内に遊技盤３が着脱交換可能に収容される。遊技盤３に発射装置３８から弾発発射された遊技球を遊技領域８へ誘導する外側ガイドレール１４及び内側ガイドレール１３が略円形に立設される。内側ガイドレール１３に囲まれた遊技領域８の中心線上にその上部から下部に向けて順に画像表示装置９、普通電動役物であり可動片１１，１１を有する始動入賞口１０、特別電動役物である大入賞口１５、アウト口１７が配設される。画像表示装置９の上方両側にはランプ風車１８ａ，１８ｂ、その下方に普通図柄変動開始用左ゲート１９及び普通図柄変動開始用右ゲート２１、その下方に風車２２ａ，２２ｂが設けられており、その下方に左袖入賞口２３と右袖入賞口２５が配設され、さらには前記大入賞口１５の左右に左落とし入賞口２７と右落とし入賞口２９が配設されている。符号４は弾球遊技機の装飾枠である。
【００２３】
表示装置９は、液晶、ドットマトリックスもしくはＬＥＤ表示装置等の表示装置からなり、この実施例ではカラー表示可能な液晶表示器（ＴＦＴ−ＬＣＤモジュール）等からなる図柄表示装置５０を備えている。図柄表示装置５０は、数字、アルファベット、記号あるいは絵（キャラクタ）等の普通図柄または特別図柄を変動表示及び停止表示可能としている。大入賞口１５において、符号６１は開閉板、６３は特定領域入賞口である。
【００２４】
図１の遊技機１の前面側には、遊技状態を報知するランプ表示器３５，３６、払出装置７０（図２等参照）から払い出された遊技球を貯留するための上側貯留皿３２、上側貯留皿３２を取り付けるための取付板３３、上側貯留皿３２の飽和時の遊技球やアウト口１７への入球を受けるための下側貯留皿４０、遊技領域上側に設置され音声や効果音を発して遊技状態を遊技者に報知するスピーカ３７、遊技者による操作ハンドル３９（操作手段）の発射操作に応じて遊技球を遊技領域８に向けて弾発発射する発射装置３８（図２参照）等がそれぞれ組み付けられている。符号３４は球抜きボタンである。
【００２５】
発射装置３８は、操作ハンドル３９と、該操作ハンドルの操作により駆動する発射モータと、この発射モータの駆動により間欠的に揺動して遊技球を弾発発射する打球杆（共に図示せず）とを有する。なお、遊技者が操作ハンドル３９を握持すると、遊技者の生体電流等がタッチ検知器（回路）により検知され、操作ハンドルを操作（回動）すると発射装置制御基板の制御を受け発射モータが駆動し、発射モータに連動して駆動する発射槌により発射レールに配置された遊技球を弾発するように構成されている。発射装置３８により発射された遊技球は、外側ガイドレール１４及び内側ガイドレール１３により遊技領域８へ誘導される。遊技領域８に誘導された遊技球は、転動しつつ下方へ落下し、各入賞口に入賞するか、あるいは何処にも入賞しなければ前記アウト口１７から遊技盤３の裏側へ排出される。
【００２６】
図２は弾球遊技機１の機構枠体６の外観を示す。機構枠体６は弾球遊技機１の最前面に装着される装飾枠４、取付板３３、さらには背面側の各種の制御基板等を備えた制御機構部（図示せず）を取り外した枠構造物である。機構枠体６は機枠２内に取付部６ｈ，６ｈを介して回動可能に軸着される。符号６ｏは機構枠体の開口である。
【００２７】
機構枠体６の上部には弾球遊技機を設置する遊技店側から供給される遊技球を受け入れる貯留タンク６６が設けられる。貯留タンク６６に仮置きされている遊技球は、遊技球供給部６５内を流下、転動して払出装置７０に到達する。払出装置７０には公知のスプロケットあるいはソレノイド等の遊技球を適量ずつ送り出す機構が組み込まれており、図１の各種の入賞口への入賞に基づいて、入賞口毎に設定された個数の遊技球が払出装置７０から払い出される。例えば、始動入賞口１０に遊技球が１個入賞すると５個払い出される。
【００２８】
図１も含めて理解されるように、上側貯留皿３２及び下側貯留皿４０は払出装置７０の下方側にある。払出装置７０から払い出された遊技球は流下樋７３の内部を流下し、いったん上皿連通樋７１から前記の上側貯留皿３２に流入する。また、払出装置７０から払い出された遊技球のうち、上側貯留皿３２が飽和した場合には、遊技球は連通樋７９（下皿連通樋）か下皿導入口７２（図７参照）を経由して下側貯留皿４０に流入する。上側貯留皿３２内の遊技球は球送りカセット６７を通じて発射装置へ供給される。同時に、上側貯留皿３２に設けられた球抜きボタン３４が押された場合、球送り口６８を通じて下側貯留皿４０へも供給される。
【００２９】
図３の側面図、図４と図５の要部斜視図を用い、遊技球供給部６５、特に払出装置７０付近を説明する。図示のとおり、貯留タンク６６、遊技球供給部６５、払出装置７０の順に垂直に配置される。払出装置７０から払い出された遊技球は流下樋７３を流下し、通常、分岐部７６により賞球通路７４側に流入する。賞球通路７４より先に上皿連通樋７１があり（図５参照）、ここから上側貯留皿３２内に転入する。上側貯留皿３２の遊技球の貯留容量が上限に達すると、賞球通路７４にも遊技球が滞留し始め、ついに分岐部７６から賞球通路７４にかけては遊技球で閉ざされる。この場合、分岐部７６付近で溢れた遊技球や新たに払出装置７０から払い出される遊技球はオーバーフロー通路７５に流れ込む。オーバーフロー通路７５の先には連通樋７９があり、ここから下側貯留皿４０内に転入する。図４における矢印線は遊技球の流下、転動の軌跡である。
【００３０】
オーバーフロー通路７５と連通樋７９の間には下皿通過路７７が設けられる。下皿通過路７７の上方はファール球通路７８と接続されている。アウト口１７から遊技盤３の裏側へ排出された遊技球はそのまま遊技機裏面側の遊技機設置島へ流下、転動するように構成されている。
【００３１】
これより図６ないし図９を用い、貯留皿とこれに関連する部材を説明する。以下の実施例において、貯留皿とは下側貯留皿４０、導入口とは下皿導入口７２であるとして詳述する。下側貯留皿４０（貯留皿）の中央には遊技球を貯留する貯留部４１が位置する。貯留部４１の四方は、正面側手前に貯留皿前壁部４２、さらに左右に貯留皿左壁部４６、貯留皿右壁部４７、遊技機寄りとなる貯留部後方に外壁部４３によって取り囲まれて矩形の容器となり、遊技球を貯留可能としている。貯留部４１の中央に球抜き穴４４が設けられ、貯留部４１は球抜き穴４４に向けて遊技球が流下しやすくするために傾斜状に形成され、球抜き穴４４は球抜きレバー４５を操作することにより、貯留部にある遊技球は貯留箱（図示せず）内に落下する。また、下側貯留皿４０は外壁部４３の背面に配設された皿固定プレート４９を介して機構枠体６の所定位置に接続される。
【００３２】
貯留部後方の外壁部４３には迂回部材８０が装着されている。迂回部材８０の内部には誘導部８１が設けられ、この誘導部８１を流下する遊技球は球排出口８２から貯留部４１に排出される。
【００３３】
図７は図６の下側貯留皿４０の外壁部４３から迂回部材８０を取り外した状態である。流下樋７３を流下する遊技球を下側貯留皿４０内に導く下皿導入口７２（導入口）は下側貯留皿４０の外壁部４３に対し開口している。前出の流下樋７３（オーバーフロー通路７５）の末端部分には、下皿導入口７２と連通すると共に下皿導入口７２の裏面側から下皿導入口７２に向けて遊技球が流下する連通樋７９が備えられる（図２，３参照）。そこで、迂回部材８０の誘導部８１は連通樋７９から下皿導入口７２に向かって流下する遊技球の流下方向を異なる方向に変更して遊技球を貯留部４１まで誘導する。
【００３４】
図示の下皿導入口７２は、外壁部４３に形成された誘導部８１を構成する誘導窪み部４３Ｗに開口形成されている。下皿導入口７２は迂回部材８０により覆われていることから、下皿導入口７２に達した遊技球は下皿導入口からそのまま直進して貯留部４１に到達しない。迂回部材８０により下皿導入口７２から流下する遊技球は直接貯留部に流下されず、迂回して貯留部に流下する。迂回部材８０の誘導部８１には遊技球の流下を補助するための迂回傾斜部８３が設けられる。誘導部８１内の皿側傾斜部８６も迂回傾斜部８３と同様の傾斜であり、誘導部８１内の遊技球は、流下、転動しやすくなっている。また、皿傾斜部８６の方が迂回傾斜部８３よりも上流側なので、傾斜部の高さを迂回傾斜部８３よりも皿側傾斜部８６の方を高くすることで流下しやすく構成されている。両傾斜部のうち、より高い方の皿側傾斜部８６の傾斜を迂回傾斜部８３にも向けるように構成すればさらに球詰まり等を抑制できる。迂回部材８０において、符号８８は正面壁部、８９は上側壁部である。
【００３５】
また、下皿導入口７２は、下側貯留皿４０の左右方向に対して貯留部４１の一端側に設けられ、同時に球排出口８２は貯留部４１の一端側に設けられている。つまり、貯留皿左壁部４６と貯留皿右壁部４７を結ぶ長手方向の貯留皿左壁部４６寄りに下皿導入口７２は配置され、当該長手方向の貯留皿右壁部４７寄りに球排出口８２が配置される。下皿導入口７２と球排出口８２との間に誘導部８１の長さが加わるため、下皿導入口７２への異物挿入に対する防御効果が生じる。
【００３６】
遊技球は下側貯留皿４０の外壁部４３に沿うように誘導部８１内を流下する。誘導部８１により、連通樋７９から下皿導入口７２へ向かった遊技球の流下方向（図３参照の遊技機の前後方向）は、ちょうど直角（遊技機の左右方向）に変更される。そして、誘導部８１の球排出口８２から排出された遊技球は、貯留部４１の後方の外壁部４３に沿うようにして流下する。遊技球は直接貯留部の中心方向に向かわず、渦巻くように流れる。そこで、貯留部全体に広がるように遊技球を貯留することが可能となる。
【００３７】
さらに、図７の球排出口８２付近の外壁部４３（図示では誘導窪み部４３Ｗ）には、整流凹部８５が形成されている。整流凹状部８５は円弧状に湾曲しながら、下皿導入口７２の位置（誘導窪み部４３Ｗの面位置）から外壁部４３の面部分の位置まで徐々に貯留部４１方向に向かうように前進している。整流凹状部８５により誘導部８１の皿側傾斜部８６や迂回傾斜部８３を流下する遊技球は、外壁部４３に沿いながら下側貯留皿４０の長手方向から貯留部中心Ｃ側（図９参照）を向かう向きに円滑に方向転換される。
【００３８】
図８は迂回部材８０を取り外した下側貯留皿４０の背面側斜視図である。図７及び図８から理解されるように、誘導部８１は、迂回部材８０の正面壁部８８の裏面に当たる内壁部８８ｉと、貯留部４１後方の外壁部４３（特には誘導窪み部４３Ｗ）と、加えて上側壁部８９によって構成されるトンネル状の空間である。下皿導入口７２から球排出口８２に至るまでの誘導部８１は外部から保護される。つまり、正面壁部８８は下側導入口７２の正面から直接異物Ｘ（図１０参照）が挿入されることを防止すると共に遊技球の流下通路を構成することができ、上側壁部８９を構成することによって、下皿導入口７２の上方から直接異物が挿入されることを防止できる。
【００３９】
迂回部材８０の内壁部８８ｉには整流凸状部８７が備えられる。実施例の整流凸状部８７は、円弧状の湾曲を有する三角形の板材からなり、複数枚設けられている。整流凸状部８７は迂回部材８０を構成する正面壁部８８（内壁部８８ｉ）と側壁部８８ｒの二の辺部に接合される。整流凸状部８７がなければ、連通樋７９から下皿導入口７２へ向かって流下する遊技球は、そのまま直進して内壁部８８ｉに直接衝突するため内壁部８８ｉの破損の可能性がある。また、排出される遊技球が多くなる場合、下皿導入口７２と内壁部８８ｉの間の誘導部８１に遊技球が溜まり球詰まりを生じるおそれもある。
【００４０】
そこで、整流凸状部８７を備えたことにより、流下中の遊技球は整流凸状部８７に接触するとともに整流凸状部の湾曲に沿って誘導部８１の向きに円滑に流下方向は転換される。下皿導入口７２から流れ込む遊技球をよどみなく誘導部８１に送られる。また、整流凸状部８７は迂回部材８０の正面壁部８８（内壁部８８ｉ）と側壁部８８ｒの両辺部をつなぐリブとしても機能するため、遊技球が衝突する迂回部材の内部の強度を補強する役目も有する。
【００４１】
また、誘導部８１を流下、転動する遊技球の視認性を高めるため、誘導部８１の少なくとも一部は透明部材により構成される。実施例にあっては、迂回部材８０全体が樹脂成形により形成されるため、迂回部材８０自体が透明な樹脂により形成される。むろん、正面壁部８８（内壁部８８ｉ）、あるいは上側壁部８９等の一部分を透明部材とすることもできる。透明部材を用いることにより、誘導部の球詰まりの異常等を外部から早期に発見することができる。
【００４２】
下側貯留皿４０の下皿出口６９は図２の球送り口６８と接続され、球送りカセット６７を通じて上側貯留皿３２内の遊技球は下側貯留皿４０へも流下可能となる。皿固定プレート４９の背面には下皿スライドフック４９ｈが取り付けられており、前記の機構枠体６との固定時に用いられる。
【００４３】
図９は図１のＡ−Ａ線における弾球遊技機１の断面図であり、図１０はその主要部拡大図である。両図の各部材の位置関係から把握されるように、球排出口８２は下皿導入口７２から貯留部中心Ｃの側に向けて斜め前方となる位置にある。そして、連通樋７９の後端面７９Ｂ（図１０参照）は、球排出口８２と下皿導入口７２とをつなぐ延長直線Ｌ（図９中に太実線として図示）上に位置しない配置構成である。概観視すると、連通樋７９の後端面７９Ｂ、下皿導入口７２、及び球排出口８２は、Ｌ字状に曲がった配置である。
【００４４】
迂回部材８０の誘導部８１を経由させたことにより、球排出口８２と下皿導入口７２とは斜めの配置となり、貯留部４１と下皿導入口７２は直接対向しなくなる。そのため、貯留部４１から異物が下皿導入口７２に差し入れられ、流下樋７３の先の払出装置７０まで到達するおそれは大きく低下する。特に図１０は、実際に異物Ｘを球排出口８２から誘導部８１内に挿入した状況を示している。球排出口８２と下皿導入口７２とをつなぐ延長直線Ｌ（図９参照）と連通樋７９の後端面７９Ｂとの位置関係のように、異物Ｘは誘導部８１内を直進しても側壁部８８ｒあるいは下皿導入口７２の側壁７２ｓ、図示では整流凸状部８７に当接するだけで、それ以上異物Ｘを奥に進めることが困難になっている。つまり、連通樋７９に到達するにはいったん側壁部８８ｒあるいは下皿導入口７２の側壁７２ｓに異物Ｘを当て、その当たった角度を変更させなければならないために連通樋７９への到達を抑制することができる。さらにはオーバーフロー通路７５や払出装置７０は連通樋７９の上方側にあるため、異物Ｘはその角度を変更しながら連通樋７９へ到達しても、本願の構成では横方向からの入射角を上方にさらに角度を変更しなければならず、連通樋７９及びその先のオーバーフロー通路７５や払出装置７０に到達するおそれをさらに低下することができる。そのため、異物Ｘが挿入される可能性のある入口において初期段階での挿入が抑制されるため、より防犯性能をより高めることができる構成となっている。
【００４５】
また、誘導部８１の誘導幅Ｋは、皿側傾斜部８６と迂回傾斜部８３の双方を足した幅である。誘導幅Ｋは、図１０にて破線で示している遊技球Ｐの少なくとも２個以上より長く（遊技球２個分の直径の合計よりも長く）形成されているため、遊技球が誘導部８１を通過する際に互いに接触して外壁部４３（誘導窪み部４３Ｗ）と正面壁部８８（内壁部８８ｉ）との間で球詰まりを起きにくくなる。誘導幅は適宜ではあるものの、極端に広くすると異物挿入への防御機能が低下するため、好ましくない。
【００４６】
本発明は実施例に図示した構成に限定されることはなく、発明の趣旨を逸脱しない限り他の弾球遊技機にも適用することができる。例えば、主に下側貯留皿への適用で説明したが、上側貯留皿にも用いることができる。また、貯留皿内の球排出口と導入口の配置を左右逆に構成することもできる。加えて、パチンコ遊技機のみの適用に限られることはなく、アレンジボール遊技機等の適宜の弾球遊技機にも適用することができる。
【符号の説明】
【００４７】
１  弾球遊技機
２  機枠
３  遊技盤
６  機構枠体
３２  上側貯留皿
４０  下側貯留皿
４１  貯留部
４３  外壁部
７０  払出装置
７２  下皿導入口
７３  流下樋
７９  連通樋
８０  迂回部材
８１  誘導部
８２  球排出口
８３  迂回傾斜部
８６  皿側傾斜部
８５  整流凹状部
８７  整流凸状部
８８  正面壁部
【図１】
2010246795.tif 000003
【図２】
2010246795.tif 000004
【図３】
2010246795.tif 000005
【図４】
2010246795.tif 000006
【図５】
2010246795.tif 000007
【図６】
2010246795.tif 000008
【図７】
2010246795.tif 000009
【図８】
2010246795.tif 000010
【図９】
2010246795.tif 000011
【図１０】
2010246795.tif 000012